(57)【要約】【課題】  感光体と中間転写体とを含む感光体転写体ユニットの着脱操作性が良いと共に装置の奥行き寸法を小さくする。【解決手段】  感光体転写体ユニット６２の中間転写ベルト６６の少なくとも一部を、ロータリ現像器４４の下方であって、感光体転写体ユニット６２の抜取り方向Ｎと反対方向に展張する。これにより、感光体転写体ユニット６２の抜取りの際、感光体転写体ユニット６２を抜取り方向の一方へ引き抜くのみで引き抜け、着脱操作性が良い。また、装置本体１２のフロントＦ側を広く開放することなく、抜き取りが可能となる。さらに、搬送路２２とロータリ現像器４４との間で占めるスペースを相対的に小さくできるため、装置の奥行き寸法を小さくできる。【選択図】  図２
2006195131.tif 000002
【特許請求の範囲】
【請求項１】
装置前方側に設けられ、装置下部に設けられた記録媒体収容部から上方へ記録媒体を搬送する搬送路と、
前記搬送路より装置後方側に設けられ、トナーを収容するトナーカートリッジを備えるロータリ現像器と、
前記ロータリ現像器により現像された画像を中間転写体へ１次転写する感光体と該感光体から１次転写された画像を前記記録媒体へ２次転写する中間転写体とを有し、前記搬送路と前記ロータリ現像器との間に設けられ、装置本体に着脱可能とされた感光体転写体ユニットと、
装置本体に設けられ、前記中間転写体により２次転写された画像を前記記録媒体へ定着させる定着器と、
前記定着器の下方側の装置前方を開閉し、開放時に装置前方から前記感光体転写体ユニットを抜取り可能とするフロントカバーと、
を備える画像形成装置において、
前記中間転写体の少なくとも一部は、前記ロータリ現像器の下方であって、前記感光体転写体ユニットの抜取り方向と反対方向へ展張されていること特徴とする画像形成装置。
【請求項２】
前記ロータリ現像器の上方の装置上部を開閉し、開放時に前記トナーカートリッジの着脱を可能とするトップカバーを備えることを特徴とする請求項１に記載の画像形成装置。
【請求項３】
前記感光体は、前記ロータリ現像器の下方に配置されていることを特徴とする請求項１又は請求項２に記載の画像形成装置。
【請求項４】
１次転写後に前記感光体上に残留する残トナーをクリーニングする感光体クリーナが、前記ロータリ現像器と前記中間転写体の展張部との間であって、前記感光体を帯電させる帯電ロールの近傍に配置され、
前記感光体クリーナでクリーニングした廃トナーを回収する廃トナーボックスが、前記ロータリ現像器と前記中間転写体の展張部との間であって、前記感光体上を露光する露光装置から出射される光ビームの光路、及び／又は前記中間転写体の展張部に沿って延設されていることを特徴する請求項１に記載の画像形成装置。
【請求項５】
請求項１に記載の画像形成装置に用いられる感光体転写体ユニットであって、
感光体クリーナでクリーニングした廃トナーを回収する廃トナーボックスが前記中間転写体の展張部に沿って延設されていることを特徴する感光体転写体ユニット。
【発明の詳細な説明】
【技術分野】
【０００１】
本発明は、フロントカバーを開け、感光体と中間転写体とを含んだ感光体転写体ユニットを装置前方側から着脱する画像形成装置及びその感光体転写体ユニットに関する。
【背景技術】
【０００２】
フロントカバーを開け、感光体と中間転写体とを含んだ感光体転写体ユニットを装置前方側から着脱する画像形成装置においては、定着器をフロントカバー側に設け、装置前方を開放する際に定着器を待避させるものが公知である（例えば、特許文献１）。しかし、定着器がフロントカバー側に設けられていると、カバーを開閉する毎に位置ズレするおそれがある。
【０００３】
また、定着器を装置本体側に設け、装置前方を開放する際に定着器を退避させないものが公知である（例えば、特許文献２、特許文献３、特許文献４）。
【特許文献１】特開平８−２７２２２９号公報
【特許文献２】特開２００１−８３７６６号公報
【特許文献３】特許第３２９５４１６号公報
【特許文献４】特開２０００−２２７６８８号公報
【発明の開示】
【発明が解決しようとする課題】
【０００４】
しかしながら、このような装置でも、ロータリ現像器と装置前方側にある搬送路との間に、感光体と中間転写体とを含んだ感光体転写体ユニットが配置されているため、装置の奥行き寸法が大きくなるという問題があった。
【０００５】
本発明は、上記事実を考慮し、感光体と中間転写体とを含む感光体転写体ユニットの着脱操作性が良いと共に装置の奥行き寸法を小さくすることを目的とする。
【課題を解決するための手段】
【０００６】
本発明の請求項１に係る画像形成装置は、装置前方側に設けられ、装置下部に設けられた記録媒体収容部から上方へ記録媒体を搬送する搬送路と、前記搬送路より装置後方側に設けられ、トナーを収容するトナーカートリッジを備えるロータリ現像器と、前記ロータリ現像器により現像された画像を中間転写体へ１次転写する感光体と該感光体から１次転写された画像を前記記録媒体へ２次転写する中間転写体とを有し、前記搬送路と前記ロータリ現像器との間に設けられ、装置本体に着脱可能とされた感光体転写体ユニットと、装置本体に設けられ、前記中間転写体により２次転写された画像を前記記録媒体へ定着させる定着器と、前記定着器の下方側の装置前方を開閉し、開放時に装置前方から前記感光体転写体ユニットを抜取り可能とするフロントカバーと、を備える画像形成装置において、前記中間転写体の少なくとも一部は、前記ロータリ現像器の下方であって、前記感光体転写体ユニットの抜取り方向と反対方向へ展張されていること特徴とする。
【０００７】
上記構成によれば、記録媒体は、装置前方側に設けられた搬送路によって、装置下部に設けられた記録媒体収容部から上方へ搬送される。また、感光体はロータリ現像器により現像された画像を中間転写体へ１次転写し、中間転写体は、その１次転写された画像を搬送される記録媒体へ２次転写する。２次転写された画像は、装置本体に設けられた定着器によって、記録媒体へ定着される。以上のように、一連の画像形成が行われる。
【０００８】
この画像形成装置では、搬送路とロータリ現像器との間にある感光体転写体ユニットの交換等が必要な場合、フロントカバーによって、定着器の下方側にある装置前方を開放し、装置前方から感光体転写体ユニットを抜き取ることができる。
【０００９】
この画像形成装置では、感光体転写体ユニットの中間転写体の少なくとも一部は、抜取り方向と反対方向に展張しているので、感光体転写体ユニットの抜取りの際、感光体転写体ユニットを抜取り方向の一方へ引き抜くのみで引き抜け、着脱操作性が良い。また、装置前方を広く開放することなく、抜き取りが可能となる。
【００１０】
また、搬送路とロータリ現像器との間に設けられた感光体転写体ユニットの中間転写体の少なくとも一部は、ロータリ現像器の下方に展張されているので、搬送路とロータリ現像器との間で占めるスペースを相対的に小さくできる。このため、装置の奥行き寸法を小さくできる。
【００１１】
さらに、定着器が装置本体側に設けられているため、フロントカバー側に設けられている場合に問題となるカバーの開閉毎に定着器が位置ズレするという事態が起こらない。
【００１２】
本発明の請求項２に係る画像形成装置では、請求項１の構成に加えて、ロータリ現像器の上方の装置上部を開閉し、開放時に前記トナーカートリッジの着脱を可能とするトップカバーを備えることを特徴とする。
【００１３】
請求項１の構成により、搬送路とロータリ現像器との間で占める感光体転写体ユニットのスペースを相対的に小さくなっているので、ロータリ現像器と装置前方側（搬送路のある側）の距離を短くなる。従って、請求項２の構成によれば、装置前方側からトップカバーを開放して、ロータリ現像器に備えられたトナーカートリッジを着脱する場合において、トナーカートリッジの着脱操作性が良い。
【００１４】
本発明の請求項３に係る画像形成装置では、請求項１又は請求項２の構成において、感光体が、ロータリ現像器の下方に配置されていることを特徴とする。
【００１５】
感光体転写体ユニットの感光体をロータリ現像器の下方に配置すれば、感光体の水平方向にロータリ現像器がないので、露光装置を感光体の水平方向に配置し、露光装置から感光体へ水平出射ができる。この場合、露光装置の出射面が縦になるので、上方から落ちてくるトナー等の異物が出射面に付着することが無く、画質の不良を防止できる。また、露光装置を水平方向に配置すると、装置高さを低くできる。
【００１６】
本発明の請求項４に係る画像形成装置では、請求項１の構成において、１次転写後に前記感光体上に残留する残トナーをクリーニングする感光体クリーナが、前記ロータリ現像器と前記中間転写体の展張部との間であって、前記感光体を帯電させる帯電ロールの近傍に配置され、前記感光体クリーナでクリーニングした廃トナーを回収する廃トナーボックスが、前記ロータリ現像器と前記中間転写体の展張部との間であって、前記感光体上を露光する露光装置から出射される光ビームの光路、及び／又は前記中間転写体の展張部に沿って延設されていることを特徴する。
【００１７】
上記構成のように、廃トナーボックスは、ロータリ現像器と前記中間転写体の展張部（中間転写体が展張されている部分）との間であって、中間転写体の展張部に沿って延設されているので、ローターリ現像器の下方に中間転写体を展張した場合であっても、装置高さを大きくすることなく、廃トナーボックスを容量が最大になるように配置できる。
【００１８】
本発明の請求項５に係る発明は、請求項１に記載の画像形成装置に用いられる感光体転写体ユニットであって、感光体クリーナでクリーニングした廃トナーを回収する廃トナーボックスが前記中間転写体の展張部に沿って延設されていることを特徴する。
【００１９】
上記構成によれば、着脱可能な感光体転写体ユニットに廃トナーボックスが含まれて構成されていても、廃トナーボックスを中間転写体の展張部に沿って延設することにより、廃トナーボックスの容量を極力大きくしつつ、感光体転写体ユニットをコンパクトにできる。
【発明の効果】
【００２０】
本発明は、上記構成としたので、感光体と中間転写体とを含む感光体転写体ユニットの着脱操作性が良いと共に装置の奥行き寸法を小さくできる。
【発明を実施するための最良の形態】
【００２１】
（第１実施形態）
本発明の画像形成装置に係る第１実施形態を図１、２に基づき説明する。
【００２２】
図１に示すように、本実施形態の画像形成装置１０は装置本体１２を備え、装置本体１２の下部には、用紙（記録媒体）Ｐが束状に積層されて収納される給紙カセット（記録媒体収容部）１４が配置されている。
【００２３】
この給紙カセット１４の先端側（図１において左端側）の上部には、用紙Ｐ上面の先端側に圧接して給紙カセット１４内から用紙Ｐを取り出すフィードロール１６が配置されている。
【００２４】
また、給紙カセット１４の先端部から延出し、装置本体１２のフロント（装置前方）Ｆ側（ユーザー等が対面し、装置の操作等を行う側）で上方へ緩やかに湾曲して延びる搬送路２２が設けられている。この搬送路２２によって、装置本体１２の上部に設けられた排出トレイ２０へ給紙カセット１４から用紙Ｐが搬送される。
【００２５】
また、この搬送路２２は、用紙搬送方向の上流側から順に、複数（例えば、２つ）の搬送ロール対２４、２次転写ロール２６と後述する中間転写ベルト６６が巻き掛けられた２次転写バックアップロール２８のロール対、及び搬送路ガイド２７で構成されている。搬送路２２の用紙搬送方向下流側には、装置本体に定着器３０及び排出ロール対３２が配置されている。
【００２６】
以上の構成により、給紙カセット１４から取り出された用紙Ｐは、複数の搬送ロール対２４によって搬送路２２を上方へ搬送され、搬送路ガイド２７に案内されて、所定のタイミングで２次転写ロール２６と中間転写ベルト６６の間（２次転写位置Ｔ２）に送り込まれ、中間転写ベルト６６からトナー像（画像）が転写される。このトナー像が転写された用紙Ｐは、加熱ロール９２と加圧ロール９４を有する定着器３０へ搬送され、転写されたトナー像が加熱ロール９２と加圧ロール９４による熱圧力によって用紙Ｐに定着されて、排出ロール対３２により排出口３４から排出トレイ２０へ排出される。
【００２７】
なお、２次転写ロール２６及び搬送路ガイド２７は、定着器３０の下方の装置本体１２のフロントＦを開閉するフロントカバー８０に設けられており、フロントカバー８０を開放することで、フロントカバー８０と一体になってフロントＦ側に待避する。
【００２８】
また、フロントカバー８０には、用紙Ｐに両面印字を行うために、定着器３０を通過し搬送路２２の下流側へ排出された画像記録済の用紙Ｐを反転させて再び２次転写位置Ｔ２へ送り込むための反転搬送路３６が設けられている。
【００２９】
この反転搬送路３６には、複数（例えば、３つ）の搬送ロール対２５が配置されており、両面印字を行う際には、片面に画像が記録された用紙Ｐは、搬送路２２の下流側で排出ロール対３２によりスイッチバックされて反転搬送路３６に導かれ、反転搬送路３６を複数の搬送ロール対２５によって下方へ搬送され、表裏反転されて搬送路２２を通じて２次転写位置Ｔ２へ戻される。
【００３０】
また、装置本体１２のフロントＦには、特定のサイズや特殊な種類の用紙に印字するための開閉式の手差しトレイ４０が設けられている。反転搬送路３６の下端部からは、フロントＦ側へ延出されてこの排紙トレイ４０に至る搬出路４２が分岐している。
【００３１】
装置本体１２の搬送路２２よりリア（装置後方）Ｒ側には、ロータリ現像器４４が配置されている。ロータリ現像器４４は、現像器本体４６内にイエロー（Ｙｅｌｌｏｗ）、マゼンタ（Ｍａｇｅｎｔａ）、シアン（Ｃｙａｎ）及び黒（Ｂｌａｃｋ）の４色のトナーを収容するトナーカートリッジ４８を備え（図１では、１色のみ図示）、回転支軸５０を中心として右回り（図１において時計回り）に回転駆動する。トナーカートリッジ４８は、回転支軸５０を中心に９０°間隔で現像器本体４６の外周に配置されており、現像器本体４６に対して着脱可能とされている（図２参照）。また、４色のトナーカートリッジ４８は、それぞれ現像ロール４９を備え、図示しないコイルスプリングなどの弾性体により、現像器本体４６の法線方向に押圧されている。
【００３２】
搬送路２２とロータリ現像器４４との間の領域であって、ロータリ現像器４４の下方側には、回転支軸５２を中心として回転する感光体ドラム５４が配置されている。また、感光体ドラム５４のリアＲ側には、感光体ドラム５４の表面を一様帯電する帯電ロール５６が設けられている。
【００３３】
また、ロータリ現像器４４の下方側であって、感光体ドラム５４よりリアＲ側の略水平方向には、帯電ロール５６により帯電された感光体ドラム５４の表面をレーザービームＢにより走査露光することで、感光体ドラム５４上に静電潜像を形成する露光装置８４が配置されている。この露光装置８４によって、感光体ドラム５４上に形成された静電潜像は、ロータリ現像器４４の現像ロール４９によって、それぞれの色のトナーで現像される。
【００３４】
ロータリ現像器４４と搬送路２２の間には、ロータリ現像器４４によって現像されたトナー像が１次転写位置Ｔ１で１次転写され、そのトナー像を２次転写位置Ｔ２まで搬送する中間転写装置６４が配置されている。
【００３５】
中間転写装置６４は、弾性を有する中間転写ベルト（中間転写体）６６、１次転写ロール６８、ラップインロール７０、前述した２次転写バックアップロール２８、及び複数（例えば、２つ）の張架ロール７４を備えている。
【００３６】
中間転写ベルト６６は、感光体ドラム５４の下方投影領域に配置され、１次転写ロール６８のベルト回転方向上流に配置されたラップインロール７０から所定の範囲で感光体ドラム５４にラップ状に接触し、感光体ドラム５４に巻きついて感光体ドラム５４の回転に従動する。これにより、中間転写ベルト６６は、１次転写ロール６８によって感光体ドラム５４上のトナー像をイエロー、マゼンタ、シアン、黒の順に重ねて１次転写位置Ｔ１で１次転写され、この１次転写されたトナー像を２次転写ロール２６との間の２次転写位置Ｔ２へ搬送する。
【００３７】
この中間転写ベルト６６は、ロータリ現像器４４の下方であって、後述する感光体転写体ユニット６２の抜取り方向Ｎの反対方向に展張されており、中間転写ベルト６６の下部は、ロータリ現像器４４と給紙カセット１４との間（ロータリ現像器４４の下方であって、給紙カセット１４の上方）の位置まで達している。本実施形態では、特に、中間転写ベルト６６の１次転写位置Ｔ１から２次転写位置Ｔ２までの部分が展張されており、１次転写位置Ｔ１から２次転写位置Ｔ２まで距離が長くなっている。
【００３８】
また、装置本体１２の下方に展張された中間転写ベルト６６の展張部６６Ａは、感光体ドラム５４の接線方向Ｓに展張されているため、本実施形態では、ラップアウトロールを設けずに感光体ドラム５４との接触状態が可能となる。
【００３９】
また、１次転写後に感光体ドラム５４上に残留する残トナーをクリーニングする感光体クリーナ５５が、ロータリ現像器４４と中間転写ベルトの展張部６６Ａとの間であって、帯電ロール５６の近傍に配置されている。この感光体クリーナ５５でクリーニングした廃トナーを回収する廃トナーボックス５８がロータリ現像器４４と中間転写ベルトの展張部６６Ａとの間で、露光装置８４から出射されるレーザビームＢの光路、及び中間転写ベルトの展張部６６Ａに沿って延設されている。
【００４０】
また、中間転写ベルト６６上の残留トナーを回収する中間転写体クリーナ８２が、ロータリ現像器４４のフロントＦ側であって、感光体ドラム５４の上部及び中間転写ベルト６６の上部側に配置されている。
【００４１】
上記の感光体ドラム５４、中間転写装置６４、廃トナーボックス５８、中間転写体クリーナ８２がフレーム６３に収容されてユニット化され、感光体転写体ユニット６２となる。この感光体転写体ユニット６２は、その感光体ドラム５４の回転軸５２を装置本体１２の側板に切られた溝８６（図１の点線部分）へ挿入しスライド移動させることにより、装置本体１２に対して着脱可能とされている（図２参照）。
【００４２】
この感光体転写体ユニット６２は、フロントカバー８０を開放することにより、フロントＦ側から感光体転写体ユニット６２を斜め上方向（抜取り方向）Ｎへ抜き取ることが可能となる（図２参照）。
【００４３】
なお、この感光体転写体ユニット６２は、フロントカバー８０の閉時には装置本体１２にロックされ、装置本体１２から抜取りができない状態とされ、フロントカバー８０の開放に連動して、装置本体１２とのロックが解除され、装置本体から抜取りができる状態とされるように、構成しても良い。
【００４４】
一方、装置本体１２の上部には、ヒンジ６１を中心に回動し、ロータリ現像器４４の上方の装置上面を開閉するトップカバー６０が設けられている（図２参照）。このトップカバー６０を閉めているときには、このトップカバー６０は排出トレイ２０の一部として、排出口３４から排出される用紙Ｐが積載される。また、このトップカバー６０を開け、装置上面の開放されると、ロータリ現像器４４に備えられたトナーカートリッジ４８の抜取りが可能となる。
【００４５】
なお、このトナーカートリッジ４８は、感光体転写体ユニット６２の場合と同様、トップカバー６０の閉時には現像器本体４６にロックされ、現像器本体４６から抜取りができない状態とされ、トップカバー６０の開放に連動して、現像器本体４６とのロックが解除され、現像器本体から抜取りができる状態とされるように、構成しても良い。
【００４６】
次に、上記の実施の形態について作用を説明する。
【００４７】
図２に示すように、搬送路２２とロータリ現像器４４との間にある感光体転写体ユニット６２の交換等が必要な場合、フロントカバー８０をあけて、定着器３０の下方にある搬送路２２を開放して、フロントＦから感光体転写体ユニット６２を抜き取ることができる。
【００４８】
本実施形態では、感光体転写体ユニット６２の中間転写ベルト６６は、抜取り方向と反対方向に展張しているので、感光体転写体ユニット６２の抜取りの際、感光体転写体ユニット６２を抜取り方向の一方へ引き抜くのみで引き抜け、着脱操作性が良い。また、フロントＦを広く開放することなく、抜き取りが可能となる。
【００４９】
また、ロータリ現像器４４に備えられたトナーカートリッジ４８の交換等が必要な場合には、トップカバー６０をあけて、ロータリ現像器４４の上方の装置上面を開放して、装置上部からトナーカートリッジ４８を抜き取ることができる。
【００５０】
本実施形態では、搬送路２２とロータリ現像器４４との間に設けられた感光体転写体ユニット６２の中間転写ベルト６６は、ロータリ現像器４４の下方に展張されているので、搬送路２２とロータリ現像器４４との間で占めるスペースを相対的に小さくできる。このため、ロータリ現像器４４とフロントＦ側（搬送路のある側）の距離が短くなり、トナーカートリッジ４８を抜き取りの際、トナーカートリッジ４８の着脱操作性が良い。
【００５１】
さらに、搬送路２２とロータリ現像器４４との間で占めるスペースを相対的に小さくできることにより、装置の奥行き寸法を小さくできる。
【００５２】
また、感光体転写体ユニット６２の中間転写ベルト６６は、ロータリ現像器４４の下方に展張し、１次転写から２次転写まで距離が長くなっているので、２次転写位置Ｔ２に厚紙が搬入されたときでも、２次転写の振動が１次転写に伝わり難い。
【００５３】
また、定着器３０は、フロントカバー８０側でなく、装置本体１２側に設けられているため、フロントカバー８０の開閉毎に定着器３０が位置ズレするという事態が起こらない。また、定着器３０は、装置本体１２側に設けられているので、装置本体１２から定着器３０への給電が容易となり、安全性も高い。
【００５４】
また、露光装置８４を感光体ドラム５４の略水平方向に配置し、露光装置８４から感光体ドラム５４へ水平出射するので、露光装置８４の出射面８４Ａが縦になり、上方から落ちてくるトナー等の異物が出射面８４Ａに付着することが無く、画質の不良を防止できる。また、露光装置８４を水平方向に配置すると、装置本体１２の高さを低くできる。
（第２実施形態）
次に、本発明の第２実施形態について図３、４に基づき説明する。第２実施形態は、第１実施形態の感光体ドラム５４、中間転写装置６４、廃トナーボックス５８、中間転写体クリーナ８２、露光装置８４についてのレイアウトを変えたものである。
【００５５】
なお、第１実施形態と同一の部分には同一の符号を付して説明を省略し、第１実施形態と異なる部分についてのみ説明する。
【００５６】
第２実施形態では、図３に示すように、感光体ドラム１５４は、ロータリ現像器４４の下方でなく、ロータリ現像器４４よりフロントＦ側で回転軸５０と略同じ高さに配置されている。この感光体ドラム１５４のさらにフロントＦ側の水平方向には、１次転写ロール１６８が配置されている。この１次転写ロール１６８に巻き掛けられる中間転写ベルト１６６は、感光体ドラム１５４にラップせず、中間転写ベルト１６６の上部の狭い範囲で感光体ドラム１５４に接触し、この接触部が１次転写位置となる。
【００５７】
すなわち、本実施形態では、感光体ドラム１５４上に形成された静電潜像は、略水平位置でロータリ現像器４４の現像ロール４９によって現像が行われ、その現像により形成されたトナー像は水平位置で中間転写ベルト１６６に１次転写される。このようにすれば、ロータリ現像器４４からトナーが感光体ドラム１５４上に落下することが低減される。
【００５８】
この１次転写されたトナー像を２次転写位置へ搬送する中間転写装置１６４は、中間転写ベルト１６６の外側から接触する張架ロール１７４が、ロータリ現像器４４と中間転写ベルト１６６との間に設けられ、この張架ロール１７４の接線方向に、中間転写ベルト１６６の展張部１６６Ａが展張されている。なお、張架ロール１７４にトナーと逆電荷のバイアスを印加してやれば、中間転写ベルト１６６の外側から接触していても、トナーが張架ロール１７４側に転写することを抑制できる。
【００５９】
また、１次転写後に感光体ドラム１５４に残留する残トナーをクリーニングする感光体クリーナー１５５が、感光体ドラム１５４の下方に設けられ、感光体クリーナー１５５でクリーニングした廃トナーを回収するトナー回収ボトル１６１が中間転写ベルト１６６の内側に設けられている。また、本実施形態では、中間転写体クリーナは設けておらず、中間転写ベルト１６６の残留トナーは感光体ドラム１５４で回収する。
【００６０】
上記の感光体ドラム１５４、中間転写装置１６４、感光体クリーナ１５５が本実施形態の感光体転写体ユニット１６２を構成し、この感光体転写体ユニット１６２が着脱可能とされる。
【００６１】
このように、本実施形態では、中間転写体クリーナを設けておらず、トナー回収ボトル１６１を中間転写ベルト１６６の内側に設けているので感光体転写体ユニット１６２を小型化できるので、さらに、搬送路とロータリ現像器との間で占めるスペースを相対的に小さくできる。
【００６２】
また、露光装置１８４からのレーザービームＢは、ミラー１９０で反射し、感光体ドラム１５４上に入射する。この露光装置１８４は、図４に示すように、ＬＥＤ（発光ダイオード）等を用いて、小型化したものでもよく、これをロータリ現像器４４と中間転写装置１６４の間に配置し、感光体ドラム１５４へＬＥＤ光を出射するようにしてもよい。このようにすることにより、更に、装置の奥行き寸法を小さくすることが可能となる。
【００６３】
本発明は、上記の実施の形態に限るものではなく、種々の形態が可能である。
【図面の簡単な説明】
【００６４】
【図１】図１は、本発明の第１実施形態に係る画像形成装置を示す図である。
【図２】図２は、第１実施形態に係る画像形成装置の動作を示す図である。
【図３】図３は、第２実施形態に係る画像形成装置を示す図である。
【図４】図４は、第２実施形態に係る画像形成装置の変形例を示す図である。
【符号の説明】
【００６５】
１０  画像形成装置
２２  搬送路
３０  定着器
４４  ロータリ現像器
６０  トップカバー
６２  感光体転写体ユニット
８０  フロントカバー
【図１】
2006195131.tif 000003
【図２】
2006195131.tif 000004
【図３】
2006195131.tif 000005
【図４】
2006195131.tif 000006